(57)【要約】【課題】製造工程における内容器体の不均一な減容変形を防止することができる合成樹脂製多重ボトルの製造方法を提供する。【解決手段】通路４から外郭ボトル本体２４と内容器体本体３１との間に加圧流体を導入することにより、内容器体本体３１を減容変形させ、内容器体本体３１と外郭ボトル本体２４との間に空間を形成する。このとき、内容器体本体３１の変形が開始される前に、内口部３０から内容器体本体３１の内部にストッパーロッド８２を挿入し、ストッパーロッド８２を内容器体本体３１の底部に当接させて固定する。【選択図】図６
2020128226.tif 000002
【特許請求の範囲】
【請求項１】
外郭ボトルと、前記外郭ボトルの内部に配置され、合成樹脂によって形成された変形可能な内容器体とを備え、
前記外郭ボトルは、外口部と、前記外口部に連接された外郭ボトル本体とを有し、
前記内容器体は、前記外口部の内周側に配設された内口部と、前記内口部に連接され、前記外郭ボトル本体の内面形状に沿う形状の内容器体本体とを有し、
前記外口部と前記内口部との間に、前記外郭ボトル本体と前記内容器体本体との間に流体を導入する通路が形成された合成樹脂製多重ボトルの製造方法であって、
前記通路から前記外郭ボトル本体と前記内容器体本体との間に加圧流体を導入する、又は、前記内容器体本体の内部を減圧することにより、前記内容器体本体を離間し減容変形させるとともに、前記内容器体本体と前記外郭ボトル本体との間に空間を形成する変形工程を備え、
前記変形工程で、前記内容器体本体の離間が開始される前に、前記内口部から前記内容器体本体の内部に規制部材を挿入し、前記規制部材を前記内容器体本体の底部に当接させて固定する、又は、前記規制部材を前記内容器体本体の底部に所定の間隔を存して対向する位置に固定することを特徴とする合成樹脂製多重ボトルの製造方法。
【請求項２】
請求項１に記載の合成樹脂製多重ボトルの製造方法において、
前記変形工程の前に、前記外郭ボトルを形成する外プリフォームの内周側に前記内容器体を形成する内プリフォームを配設した後、金型の内部でブロー成形を行うことにより前記合成樹脂製多重ボトルを形成する形成工程を備え、
前記変形工程で、前記内容器体本体を減容変形させて、前記外郭ボトルから前記内容器体を離間することを特徴とする合成樹脂製多重ボトルの製造方法。
【請求項３】
請求項２に記載の合成樹脂製多重ボトルの製造方法において、
前記変形工程は、前記合成樹脂製多重ボトルを前記形成工程における前記金型の内部から前記合成樹脂製多重ボトルを取り出した後に行われることを特徴とする合成樹脂製多重ボトルの製造方法。
【請求項４】
請求項１〜請求項３のいずれか１項に記載の合成樹脂製多重ボトルの製造方法において、
前記外郭ボトル及び前記内容器体の少なくとも一方は、ポリエステル樹脂、又は、ポリオレフィン樹脂で形成されていることを特徴とする合成樹脂製多重ボトルの製造方法。
【請求項５】
請求項１〜請求項４のいずれか１項に記載の合成樹脂製多重ボトルの製造方法において、
前記変形工程の後、前記内口部で前記内容器体から排出される流体の有無を検知する、又は、前記空間の内部の圧力の変化を検知することにより、リークの有無を検出する検査工程を備えていることを特徴とする合成樹脂製多重ボトルの製造方法。
【請求項６】
請求項１〜請求項４のいずれか１項に記載の合成樹脂製多重ボトルの製造方法において、
前記変形工程の後、前記通路を介して前記外郭ボトル本体と前記内容器体本体との間の空間を減圧する、又は、前記内容器体本体の内部に加圧流体を導入することにより、前記内容器体本体を原形復帰させて、前記内容器体本体に変形の痕跡として、前記内容器体本体の変形を案内する変形案内部を形成する復帰工程を備えていることを特徴とする合成樹脂製多重ボトルの製造方法。
【発明の詳細な説明】
【技術分野】
【０００１】
本発明は、外郭ボトルと、その外郭ボトルの内部に配置され、合成樹脂によって形成された変形可能な内容器体とを備えた合成樹脂製多重ボトルの製造方法に関する。
【背景技術】
【０００２】
従来、外郭ボトルの内部に、減容変形する合成樹脂製の内容器体を配置した合成樹脂製多重ボトル（以下、単に「多重ボトル」ということがある。）がある。
【０００３】
この種の多重ボトルとしては、外郭ボトルと内容器体との間に形成された空間、又は、内容器体本体の内部のいずれか一方に、加圧ガスを収容するとともに、他方に、内容物を収容したエアゾール容器が知られている（例えば、特許文献１参照）。
【０００４】
外郭ボトルと内容器体との間に形成された空間に加圧ガスを収容するタイプのエアゾール容器では、収容された加圧ガスのガス圧によって、内容器体の内部から内容物が吐出された際に、内容器体は減容変形させられ、また、内容物が吐出された後にも、内容器体は変形された状態のまま維持される。
【０００５】
一方、内容器体本体の内部に加圧ガスを収容するタイプのエアゾール容器では、収容された加圧ガスのガス圧によって、外郭ボトルと内容器体との間に形成された空間に収容された内容物が吐出された際に、内容器体は膨張するように変形させられ、また、内容物が吐出された後にも、内容器体は変形された状態のまま維持される。
【先行技術文献】
【特許文献】
【０００６】
【特許文献１】特開２０１１−２５１７１０号公報
【発明の概要】
【発明が解決しようとする課題】
【０００７】
ところで、特許文献１に記載のような多重ボトルの内容器体は、多重ボトルの製造過程において、内容物又は加圧ガスを充填する前に、外郭ボトルと内容器体との間に加圧ガスを導入し、内容器体を一旦外郭ボトルから離間させ減容変形し、その後、減容変形前の原形に復帰させるという工程をとることがある。これは、内容器体にリークの原因となるピンホール等の欠陥が無いかどうかの確認のため、さらには減容変形のための好ましい折り癖をつけるために行われる。
【０００８】
しかし、この減容変形が不均一なものであると、その変形によって、リークの原因となる欠陥が生じてしまうおそれがあった。また、不均一な変形によって内容器体に不規則な折り癖（変形案内部）が形成されてしまうと、内容器体に充填した内容物を吐出する際に、その折り癖によって内容器体に好ましくない変形が生じ、内容物の吐出が阻害されてしまうおそれもあった。
【０００９】
本発明は以上の点に鑑みてなされたものであり、製造工程における内容器体の不均一な減容変形を防止することができる合成樹脂製多重ボトルの製造方法を提供することを目的とする。
【課題を解決するための手段】
【００１０】
本発明の合成樹脂製多重ボトルの製造方法は、
外郭ボトルと、前記外郭ボトルの内部に配置され、合成樹脂によって形成された変形可能な内容器体とを備え、
前記外郭ボトルは、外口部と、前記外口部に連接された外郭ボトル本体とを有し、
前記内容器体は、前記外口部の内周側に配設された内口部と、前記内口部に連接され、前記外郭ボトル本体の内面形状に沿う形状の内容器体本体とを有し、
前記外口部と前記内口部との間に、前記外郭ボトル本体と前記内容器体本体との間に流体を導入する通路が形成された合成樹脂製多重ボトルの製造方法であって、
前記通路から前記外郭ボトル本体と前記内容器体本体との間に加圧流体を導入する、又は、前記内容器体本体の内部を減圧することにより、前記内容器体本体を減容変形させるとともに、前記内容器体本体と前記外郭ボトル本体との間に空間を形成する変形工程を備え、
前記変形工程で、前記内容器体本体の変形が開始される前に、前記内口部から前記内容器体本体の内部に規制部材を挿入し、前記規制部材を前記内容器体本体の底部に当接させて固定する、又は、前記規制部材を前記内容器体本体の底部に所定の間隔を存して対向する位置に固定することを特徴とする。
【００１１】
ここで、規制部材と内容器体本体の底部との間の「所定の間隔」としては、内容器体本体の変形が開始された直後（初期段階）に、底部が規制部材に当接するような間隔のことを指す。具体的には、例えば、内口部の頂部から底部までの長さの０％〜１０％の長さに対応する間隔、好ましくは、０％〜５％の長さに対応する間隔である。
【００１２】
また、ここで、加圧流体とは、例えば、二酸化炭素、窒素、空気、及び、これらの混合ガス等の圧縮ガス、液化石油ガス、ジメチルエーテル、及び、これらの混合ガス等の液化ガス、並びに、炭酸ガス等の気体を含有する液体等が挙げられる。
【００１３】
このように、本発明の合成樹脂製多重ボトルの製造方法では、内容器体本体を減容変形させて、内容器体本体と外郭ボトル本体との間に空間を形成する変形工程で、その減容変形が開始される前に、内口部から規制部材を挿入し、規制部材を内容器体本体の底部に当接させて固定する、又は、規制部材を内容器体本体の底部に所定の間隔を存して対向する位置に固定している。
【００１４】
そのため、変形工程において生じる内容器体本体の減容変形のうち、底部側から内口部に向かって折り畳まれるような、多重ボトルの長さ方向の減容変形は、規制部材が内容器体本体の底部に当接することによって規制される。一方で、内容器体本体の周面部が多重ボトルの軸心に向かって折り畳まれるような、多重ボトルの径方向の減容変形は、規制部材によって規制されることはない。その結果、内容器体本体には、多重ボトルの径方向の減容変形が優先的に生じる。
【００１５】
したがって、本発明の合成樹脂製多重ボトルの製造方法によれば、製造工程の一部である変形工程において、内容器体本体の減容変形は所定の変形になるように案内されるので、内容器体本体の不均一な変形を抑制することができる。
【００１６】
また、本発明の合成樹脂製多重ボトルの製造方法においては、
前記変形工程の前に、前記外郭ボトルを形成する外プリフォームの内周側に前記内容器体を形成する内プリフォームを配設した後、金型の内部でブロー成形を行うことにより前記合成樹脂製多重ボトルを形成する形成工程を備え、
前記変形工程で、前記内容器体本体を減容変形させて、前記外郭ボトルから前記内容器体を離間するようにしてもよい。
【００１７】
このように、ブロー成形によって合成樹脂製多重ボトル（以下、単に「多重ボトル」ということがある。）を形成した場合、形成が終了した段階では、外郭ボトル本体の内面に沿って内容器体本体の外面が密着した状態になっている。
【００１８】
そして、外郭ボトル本体の内面と内容器体本体の外面との間の空間に内容物又は加圧流体を収容するためには、その収容を行う前に、内容器体本体にリークの原因となる欠陥の有無を確認するリーク検査のために、内容器体本体を外郭ボトル本体から一旦を離間し減容変形させるという工程が行われる。
【００１９】
そこで、このように、その工程に本発明の変形工程を適用すると、離間の際に内容器本体が不均一に変形することを防止することができる。
【００２０】
また、本発明の合成樹脂製多重ボトルの製造方法においては、ブロー成形によって合成樹脂製多重ボトルを形成する場合、
前記変形工程は、前記合成樹脂製多重ボトルを前記形成工程における前記金型の内部から前記合成樹脂製多重ボトルを取り出した後に行われることが好ましい。
【００２１】
本発明の変形工程は、多重ボトルが金型の内部に配置されているか否かを問わずに実行できる。そして、このように変形工程を金型から取り出した後で行うようにすると、その変形工程を実施している最中に、その金型で次の製品を製造して、製造効率を向上させることができる。
【００２２】
また、本発明の合成樹脂製多重ボトルの製造方法においては、
前記外郭ボトル及び前記内容器体の少なくとも一方は、ポリエステル樹脂、又は、ポリオレフィン樹脂で形成されていてもよい。
【００２３】
また、本発明の合成樹脂製多重ボトルの製造方法においては、
前記変形工程の後、前記内口部で前記内容器体から排出される流体の有無を検知する、又は、前記空間の内部の圧力の変化を検知することにより、リークの有無を検出する検査工程を備えていてもよい。
【００２４】
合成樹脂製多重ボトルでは、一般的に、製造後、内容物の充填が行われる前に、リーク検査が行われる。そのリーク検査の方法としては、例えば、内容器体本体を減容変形させた後、内容器体本体と外郭ボトル本体との間に空間の圧力の変化に基づいて、リークの有無を検出する方法がある。
【００２５】
しかし、このようなリーク検査を行う場合、内容器体本体の減容変形が不均一なものであると、その減容変形によって、内容器体本体にピンホール等のリークの原因となる欠陥が生じてしまうおそれがある。
【００２６】
そこで、リーク検査のために内容器体本体を減容変形させる工程として、本発明の変形工程を適用すると、リーク検査のための減容変形で内容器体本体が不均一に変形してしまうことを防止できるので、リーク検査のための減容変形によって、内容器体本体にリークの原因となる欠陥が生じてしまうことを防止することができる。
【００２７】
また、本発明の合成樹脂製多重ボトルの製造方法においては、
前記変形工程の後、前記通路を介して前記外郭ボトル本体と前記内容器体本体との間の空間を減圧する、又は、前記内容器体本体の内部に加圧流体を導入することにより、前記内容器体本体を原形復帰させて、前記内容器体本体に変形の痕跡として、前記内容器体本体の変形を案内する変形案内部を形成する復帰工程を備えていてもよい。
【００２８】
多重ボトルでは、使用時に内容物を吐出させるために内容器体本体を減容変形させる際に、その減容変形が不均一なものであると、その減容変形によって、内容器体本体の内部に内容物の移動を阻害するような部分が形成されてしまい、内容物を十分に吐出することができなくなるおそれがある。
【００２９】
しかし、本発明の多重ボトルの変形工程における減容変形は、規制部材により多重ボトルの長さ方向の変形が抑制されており、また、径の収縮するような比較的規則的な変形となるように規制されたものである。そのため、この減容変形によっては、内容器体本体の内部に流体の移動を阻害するような部分は形成されにくい。
【００３０】
そこで、このように、本発明の変形工程の痕跡を利用して、使用時における減容変形を案内するための変形案内部を形成すると、使用時にも内容器体本体の内部に内容物の移動を阻害するような部分が形成されることを抑制することができる。
【図面の簡単な説明】
【００３１】
【図１】本発明の合成樹脂製多重ボトルの製造方法によって製造された合成樹脂製多重ボトルの断面図。
【図２】図１の合成樹脂製多重ボトルの口部の断面図。
【図３】図１の合成樹脂製多重ボトルの内容器体が減容変形した状態を示す断面図。
【図４】図１の合成樹脂製多重ボトルの形成工程を説明する模式的断面図。
【図５】図１の合成樹脂製多重ボトルの内容器体本体が本発明の製造方法の第１検査工程において減容変形した状態を示す模式的断面図。
【図６】図１の合成樹脂製多重ボトルの第１検査工程を説明する模式的断面図。
【図７】合成樹脂製多重ボトルの内容器体本体が従来の製造方法の第１検査工程において減容変形した状態を示す模式的断面図。
【図８】図１の合成樹脂製多重ボトルの第２検査工程を説明する模式的断面図。
【発明を実施するための形態】
【００３２】
以下、図面を参照して、実施形態に係る合成樹脂製多重ボトル（以下、単に「多重ボトル」ということがある。）の製造方法について説明する。
【００３３】
まず、図１〜図３を参照して、本発明の合成樹脂製多重ボトルの製造方法を用いて製造される合成樹脂製多重ボトル（以下、単に「多重ボトル１」ということがある。）の概略構成について説明する。
【００３４】
図１に示すように、多重ボトル１は、合成樹脂製の外郭ボトル２と、外郭ボトル２の内部に配置され、変形可能な内容器体３とを備えている。外郭ボトル２及び内容器体３は、ポリエチレンテレフタレート樹脂等のポリエステル樹脂によって形成されている。
【００３５】
なお、本発明の外郭ボトル及び内容器体を形成するための合成樹脂としては、ポリエステル樹脂に限定されるものではなく、ブロー成形性に優れ、減容変形可能な合成樹脂であればよい。例えば、ポリエチレン、ポリプロピレンのようなポリオレフィン樹脂も好適樹脂材料として用いることができる。
【００３６】
すなわち、本発明の製造方法は、ポリエステル樹脂、ポリオレフィン樹脂を外郭ボトル又は内容器体に用いてブロー成形により形成された多重ボトルで、外郭ボトル本体の底部と内容器体本体の底部とが強固に密着固定されていない合成樹脂製ブロー成形多重ボトルに好適に用いられる。
【００３７】
外郭ボトル２は、円筒状の外口部２０と、外口部２０に連接する肩部２１と、肩部２１に連接する胴部２２と、胴部２２に連接する底部２３とを備えている。外郭ボトル２では、肩部２１、胴部２２及び底部２３によって、有底筒状の外郭ボトル本体２４が形成されている。
【００３８】
外口部２０は、外周面に雄ネジ部２０ａと、雄ネジ部２０ａの下方に設けられたサポートリング２０ｂとを有している。雄ネジ部２０ａには、トリガー式噴射ノズル（不図示）の内周面に形成されている雌ネジ部が螺合する。これにより、外口部２０にトリガー式噴射ノズルが取り付けられる。
【００３９】
底部２３は、その中央部で外郭ボトル２の内側に膨出して多重ボトル１に自立性を付与する凹部２３ａを備えている。底部２３の凹部２３ａの周縁部は、環状の接地部２３ｂとなっている。
【００４０】
内容器体３は、外口部２０の内周側に配設されている円筒状の内口部３０と、内口部３０に連接し、外郭ボトル本体２４の内面形状に沿う形状の内容器体本体３１とを備えている。
【００４１】
内口部３０は、その上端部に外口部２０の上端よりも上方に延出された筒状の延出部３０ａと、延出部３０ａの上端部の周縁から径方向外方に張り出す鍔部３０ｂとを有している。内口部３０は、鍔部３０ｂにより外口部２０の上端縁に係止されている。
【００４２】
図１及び図２に示すように、内口部３０は、その外周面に、内口部の軸線に沿って上下方向に延びる複数の縦溝３０ｃが形成されている。なお、縦溝３０ｃは、１つだけであってもよい。また、内口部３０は、鍔部３０ｂの下面に、内口部３０の径方向に延びる横溝３０ｄが形成されている。
【００４３】
横溝３０ｄは、縦溝３０ｃの上端に連続しており、鍔部３０ｂの外周面で開放されている。すなわち、横溝３０ｄは、縦溝３０ｃと同数設けられている。
【００４４】
縦溝３０ｃ及び横溝３０ｄによって、外口部２０と内口部３０との間に、外郭ボトル本体２４と内容器体本体３１との間に流体を導入して、それらの間に空間５（図３参照）を形成する通路４が形成されている。
【００４５】
このようにして構成された多重ボトル１では、例えば、内容器体３の内部に内容物が収容され、外郭ボトル本体２４と内容器体本体３１との間の空間５（図３参照）に加圧流体が収容され、外口部２０にトリガー式噴射ノズル（不図示）が取り付けられて使用される。
【００４６】
ここで、加圧流体とは、例えば、二酸化炭素、窒素、空気、及び、これらの混合ガス等の圧縮ガス、液化石油ガス、ジメチルエーテル、及び、これらの混合ガス等の液化ガス、並びに、炭酸ガス等の気体を含有する液体等が挙げられる。
【００４７】
そして、トリガー式噴射ノズルのトリガーがひかれることによって、内容物が噴射されて内容器体３の内部の内容物の残存量が減少すると、図３に示すように、空間５に収容されている加圧ガスの膨張によって、内容器体３が押しつぶされて減容変形する。
【００４８】
トリガー式噴射ノズルが多重ボトル１に装着されている状態では、通路４は閉塞された状態となるので、通路４を介して流体の流通が生じない。すなわち、加圧ガスの膨張以外の要因によって、空間５の容積は変動しない。そのため、内容物の噴射に起因して内容器体３に減容変形が生じると、内容器体３の減容変形はそのまま維持される。
【００４９】
次に、図４〜図１１を参照して、多重ボトル１の製造方法について説明する。この製造方法には、多重ボトル１をブロー成形により形成するための形成工程、並びに、リーク検査ための第１検査工程及び第２検査工程が含まれる。
【００５０】
まず、図４を参照して、ブロー成形多重ボトル用プリフォーム（以下、単に「プリフォーム」という）を用いて、多重ボトル１をブロー成形により形成する形成工程について説明する。図４は、ブロー成形工程（形成工程）を説明するための模式的断面図である。
【００５１】
ここで、図４を参照して、ブロー成形に用いるプリフォーム６、及び、ブロー成形装置７について説明する。
【００５２】
図４に示すように、プリフォーム６は、外郭ボトル２を形成する外プリフォーム６０と、その外プリフォーム６０の内側に配設され、内容器体３を形成する内プリフォーム６１とを備えている。
【００５３】
外プリフォーム６０は、ポリエチレンテレフタレート樹脂を材料として射出成形により形成されている。外プリフォーム６０は、外郭ボトル２の外口部２０と同一形状の外プリフォーム口部６０ａと、外プリフォーム口部６０ａの下方に連設された有底円筒状の外胴部６０ｂとを備えている。また、外プリフォーム口部６０ａの外周面には、外郭ボトル２のサポートリング２０ｂと同一形状のサポートリング部６０ｃが設けられている。
【００５４】
内プリフォーム６１は、ポリエチレンテレフタレート樹脂を材料として射出成形により形成されている。内プリフォーム６１は、内容器体３の内口部３０と同一形状の内プリフォーム口部６１ａと、内プリフォーム口部６１ａの下方に連設された有底円筒状の内胴部６１ｂとを備えている。
【００５５】
また、図４に要部を示すように、ブロー成形装置７は、金型７０と、ブローノズル７１と、ストレッチロッド７２とを備えている。
【００５６】
金型７０は、外郭ボトル２の外口部２０から下の外郭ボトル本体２４の外形に沿う形状の成形部７０ａと、外プリフォーム６０の外プリフォーム口部６０ａのサポートリング部６０ｃを下方から支持する第１支持開口部７０ｂとを備えている。金型７０は割型構造であり、左右側と底部側とで分割することによって成形後の多重ボトル１が脱型できるようになっている。
【００５７】
ブローノズル７１は、昇降手段（不図示）により昇降され、第１Ｏリング７１ａを介して、内プリフォーム６１の内プリフォーム口部６１ａの上端面に気密に当接する。また、ブローノズル７１の第１Ｏリングよりも内周側の部分には、高圧気体供給手段（不図示）に接続された第１気体通路７１ｂが形成されている。第１気体通路７１ｂには、ストレッチロッド７２が上下方向に移動自在に挿通している。
【００５８】
ストレッチロッド７２は、進退駆動手段（不図示）によってブロー成形時に前進される。なお、ブロー成形の初期状態を示す図４Ａにおいては、ストレッチロッド７２は、ブローノズル７１の先端から突出しているが、未使用時には後退されてブローノズル７１の内方（図中上方）に収納されている。
【００５９】
図４を参照して、ブロー成形装置７及びプリフォーム６を用いて、多重ボトル１をブロー成形により形成する形成工程について説明する。
【００６０】
なお、図４は、左から順に、初期状態（図４Ａ）、ブロー成形中の状態（図４Ｂ）、ブロー成形完了後の状態（図４Ｃ）を示す。
【００６１】
この形成工程においては、まず、図４Ａに示すように、内プリフォーム６１が内側に配設された外プリフォーム６０（すなわち、プリフォーム６）を金型７０にセットした後、内プリフォーム６１の内プリフォーム口部６１ａにブローノズル７１を接続する。
【００６２】
このとき、外プリフォーム６０及び内プリフォーム６１は、金型７０にセットされる前に、ブロー成形可能な温度に加熱される。
【００６３】
次に、ブローノズル７１の第１気体通路７１ｂから内プリフォーム６１の内部に加圧空気を導入するとともに、ストレッチロッド７２を下方に伸長させる。
【００６４】
これにより、図４Ｂに示すように、まず、内プリフォーム６１の内胴部６１ｂが膨張して未膨張状態の外プリフォーム６０の外胴部６０ｂの内面に密着する。その後、さらに内プリフォーム６１の内部に加圧空気を導入しつつ、ストレッチロッド７２を下方に伸長させると、膨張した内プリフォーム６１の内胴部６１ｂにより外プリフォーム６０の外胴部６０ｂが押し広げられる。
【００６５】
そして、図４Ｃに示すように、外プリフォーム６０の外胴部６０ｂが、金型７０の成形部７０ａの内面形状に沿うように成形されて、外郭ボトル２の外郭ボトル本体２４が形成される。また、内プリフォーム６１の内胴部６１ｂが、外郭ボトル２の外郭ボトル本体２４の内面形状に沿うように成形されて、内容器体３の内容器体本体３１が形成される。
【００６６】
以上の工程によって、多重ボトル１が形成される。このとき、外郭ボトル２の外郭ボトル本体２４の内面には、内容器体３の内容器体本体３１の外面が密着した状態になっている。また、これらの工程が終了した後、多重ボトル１の内部からストレッチロッド７２が退避させられて、金型７０から多重ボトル１が取り外される。
【００６７】
次に、図５〜図７を参照して、外郭ボトル本体２４から内容器体本体３１を離間し減容変形させて、リーク検査を行う第１検査工程について説明する。この第１検査工程には、内容器体本体３１を外郭ボトル本体２４から離間し減容変形させる変形工程が含まれている。
【００６８】
図５は、多重ボトル１にリーク検査装置８が取り付けられた後、内容器体３の内容器体本体３１が、本実施形態の第１検査工程において、離間し減容変形した状態を示す模式的断面図である。図６は、第１検査工程の各工程の説明的断面図である。図７は、第１検査工程において、後述したストッパーロッド８２を用いずに外殻ボトルと内容器体の間に加圧ガスを注入した場合（すなわち、従来の第１検査工程を実施した場合）に、内容器体３が、不均一に減容変形した状態を示す模式的断面図である。
【００６９】
ここで、図５を参照して、第１検査工程の詳細な説明に先立ち、第１検査工程及び後述する第２検査工程において用いるリーク検査装置８について説明する。
【００７０】
図５に示すように、リーク検査装置８は、多重ボトル１を支持する支持部８０と、多重ボトル１の外口部２０及び内口部３０を覆うように把持するリークノズル８１と、細長い円柱状のストッパーロッド８２（規制部材）を備えている。
【００７１】
支持部８０には、多重ボトル１の外口部２０の筒状の部分の外径に略一致し、且つ、サポートリング２０ｂよりも小さい内径を有する第２支持開口部８０ａが形成されている。多重ボトル１は、外口部２０が第２支持開口部８０ａに嵌装されるとともに、サポートリング２０ｂが第２支持開口部８０ａの周縁部で下方から支持されることによって、リーク検査装置８に固定した状態で支持される。
【００７２】
リークノズル８１は、第２Ｏリング８１ａを介して、外郭ボトル２の外口部２０の雄ネジ部２０ａの外周面に気密に当接する。リークノズル８１には、第２Ｏリング８１ａよりも上方となる部分に、高圧気体供給手段（不図示）に接続された第２気体通路８１ｂが形成されている。
【００７３】
そのため、多重ボトル１にリークノズル８１を装着した状態では、雄ネジ部２０ａの上方で開放されている通路４（ひいては、通路４に連通している外郭ボトル本体２４と内容器体本体３１との間の空間５）と、第２気体通路８１ｂとが、連通した状態になっている。
【００７４】
また、リークノズル８１の内口部３０の開口に対向する部分には、内容器体３の内部の空間と外部の空間とを連通する第３気体通路８１ｃが形成されている。第３気体通路８１ｃには、ストッパーロッド８２が上下方向に移動自在に挿通している。
【００７５】
ストッパーロッド８２は、進退駆動手段（不図示）によってリーク検査時に前進される。なお、ストッパーロッド８２は、未使用時には後退されてリークノズル８１の内方（図中上方）に収納されている。
【００７６】
図５〜図７を参照して、内容器体本体３１を減容変形させて、リーク検査を行う第１検査工程について説明する。
【００７７】
なお、図６は、左側から順に、検査を開始する前の多重ボトルをリーク検査装置８にセットしたときの多重ボトル１とストッパーロッド８２の初期状態（図６Ａ）、ストッパーロッド８２を挿入した状態（図６Ｂ）、外郭ボトル２と内容器体３の間に検査用の加圧ガスを注入した状態（図６Ｃ）、内容器体本体３１の減容変形が十分行われた状態で検査実行中の状態（図６Ｄ）、内容器体本体３１の内部に加圧ガスを注入し、空間５から検査用の加圧ガスを排出している状態（図６Ｅ）、検査を終了しストッパーロッド８２を初期位置にもどした状態（図６Ｆ）を示す。
【００７８】
この第１検査工程においては、まず、図６Ａに示すように、リーク検査装置８（図６では不図示）に、多重ボトル１をセットして、内口部３０から内容器体本体３１の内部にストッパーロッド８２の挿入を開始する。
【００７９】
次に、図６Ｂに示すように、ストッパーロッド８２の先端を内容器体本体３１の底部に当接させて固定する。
【００８０】
このとき、ストッパーロッド８２の先端は、必ずしも、内容器体本体３１の底部に当接させる必要はなく、ストッパーロッド８２を内容器体本体３１の底部に所定の間隔を存して対向する位置に固定してもよい。
【００８１】
ここで、ストッパーロッド８２と内容器体本体３１の底部との間の「所定の間隔」としては、内容器体本体３１の変形が開始された直後で、内容器体本体３１の底部がストッパーロッド８２に当接するような間隔のことを指す。
【００８２】
具体的には、例えば、内口部３０の頂部（本実施形態では、延出部３０ａの上端面）から内容器体本体３１の底部までの長さの０％〜１０％の長さに対応する間隔、好ましくは、０％〜５％の長さに対応する間隔である。
【００８３】
次に、図６Ｃに示すように、第２気体通路８１ｂを介して、通路４から外郭ボトル本体２４と内容器体本体３１との間に、加圧ガスを導入する。
【００８４】
これにより、外郭ボトル本体２４と内容器体本体３１との間に導入された加圧ガスは、内容器体本体３１の外面を外郭ボトル本体２４の内面から離間させつつ、内容器体本体３１を減容変形させる。その結果、外郭ボトル本体２４と内容器体本体３１との間には、空間５が形成される。
【００８５】
本実施形態においては、変形工程が実行される前に（すなわち、内容器体本体３１が減容変形される前に）、内口部３０からストッパーロッド８２を挿入し、ストッパーロッド８２を内容器体本体３１の底部に当接させて固定している。
【００８６】
そのため、変形工程において生じる内容器体本体３１の減容変形のうち、底部側から内口部３０に向かって折り畳まれるような、多重ボトル１の長さ方向の減容変形（すなわち、複雑で不均一な形状に収縮するような変形）は、ストッパーロッド８２が内容器体本体３１の底部に当接することによって規制される。
【００８７】
一方で、内容器体本体３１の胴部の周面部が多重ボトル１の軸心に向かって折り畳まれるような、多重ボトル１の径方向の減容変形（すなわち、収縮するような変形）は、ストッパーロッド８２によって規制されることはない。
【００８８】
その結果、図５に示すように、内容器体本体３１には、多重ボトル１の径方向の減容変形が優先的に生じる。すなわち、本実施形態の変形工程においては、内容器体本体３１の減容変形は、リークの原因となるピンホール等の欠陥が生じにくく、また、充填された内容物を注出する際に注出を阻止するような折り癖の原因となる折り畳み皺が形成されにくい所定の変形になるように案内される。
【００８９】
これにより、内容器体本体３１を外郭ボトル本体２４から離間する際にも、内容器体本体３１が不均一に変形してしまうことを抑制することができる。
【００９０】
これに対し、図７に示すように、従来の製造方法のように、変形工程においてストッパーロッド８２のような底部を固定する規制手段を用いない場合には、内容器体本体３１は、その底部が外郭ボトル本体２４の底部から離間して内口部３０の方向に引かれるように、減容変形する。そのため、内容器体本体３１の胴部には、多重ボトル１の径方向に不均一な折り畳み皺が形成され、また、胴部が長さ方向でも不揃いに減容変形するので、内容器体本体３１の減容変形が複雑で不均一な変形となってしまう。
【００９１】
そして、このように内容器体本体３１の減容変形が不均一なものであると、その減容変形によって、内容器体本体３１にピンホール等のリークの原因となる欠陥が生じてしまうおそれがある。さらに、内容器体３に収容した内容物を吐出する際に、折り畳み皺に導かれて再び内容器体本体３１が不規則に減容変形して、その減容変形した内容器体本体３１に内容物の動きが阻害されて、内容物を出し切ることができなくなるというおそれがある。
【００９２】
これに対し、本実施形態における減容変形では、内容器体本体の長さ方向の変形が規制され均一なものになっているので、そのような欠陥が生じたり、内容器体本体３１によって内容物の動きが阻害されたりすることは抑制されている。
【００９３】
再度、第１検査工程の説明に戻る。第１検査工程においては、次に、図６Ｃに示す状態を経て、図６Ｄに示すように内容器体本体３１が十分に減容変形した状態において、第２気体通路８１ｂを閉塞することによって、通路４を閉塞状態にしたうえで、空間５の内部の圧力、又は、内口部３０で内容器体３から排出される気体の有無を検知して、リークの有無を検出する。
【００９４】
内容器体本体３１にピンホール等のリークの原因となる欠陥がある場合、空間５の内部の気体はその欠陥部から、内容器体本体３１の内部にリークし、空間５の内部の圧力が減少する。その一方で、内口部３０から外部に気体が排出される。
【００９５】
そこで、このように、空間５の内部の圧力の変化、又は、内口部３０で内容器体３から排出される気体の有無を検知することによって、内容器体本体３１のリーク有無を検出することができる。
【００９６】
次に、図６Ｅに示すように、第２気体通路８１ｂを開放することによって、通路４を開放状態にする。。
【００９７】
次に、図６Ｆに図に示すように、内口部３０から内容器体本体３１の外部にストッパーロッド８２を引き抜いて、第１検査工程を終了する。
【００９８】
ところで、内容器体本体３１は、このような減容変形の後に原形復帰が行われると、原形復帰のための変形過程において、新たなピンホール等のリークの原因となる欠陥が生じることがある。そのため、その原形復帰の際にも、リーク検査を行うことが望ましい。
【００９９】
以下において、図８を参照して、内容器体本体３１を減容変形した状態から原形復帰させたときにリーク検査を行う工程（第２検査工程）について説明する。
【０１００】
図８は、第２検査工程の各工程を説明的断面図であり、左側から順に、検査を開始する前の状態（図８Ａ）、一次復元状態（図８Ｂ）、二次復元状態（図８Ｃ）、検査実行中の状態（図８Ｄ）、検査を終了した状態（図８Ｅ）を示す。
【０１０１】
ここで、本実施形態では、第２検査工程は、第１検査工程と連続して行われる。そのため、図８Ａに示す初期状態は、図６Ｆに示した第１検査工程の検査を終了した状態と同一の状態である。すなわち、第２検査工程の初期状態において、多重ボトル１は、引き続き、リーク検査装置８にセットされた状態となっている。
【０１０２】
この第２検査工程においては、まず、図８Ｂに示すように、第３気体通路８１ｃを介して、内口部３０から内容器体本体３１の内部に検査用気体を導入する。
【０１０３】
このとき、内容器体本体３１は、内圧の上昇によって膨張して、ある程度原形復帰する（一次復元）。具体的には、内容器体本体３１は、図８Ｂに示す状態から図８Ｃに示す状態まで変形する。これにより、外郭ボトル２の外郭ボトル本体２４と内容器体３の内容器体本体３１との間の空間５の容積が減少する。その結果、空間５に連通している通路４から、第２気体通路８１ｂを介して、空間５に導入されていた加圧ガスが排出される。
【０１０４】
次に、図８Ｃに示すように、内容器体３への検査ガスの導入を維持しつつ、第２気体通路８１ｂを介して、通路４、ひいては、空間５から、気体加圧ガスを強制排気する。
【０１０５】
このとき、内容器体本体３１は、内圧の上昇に外圧の低下が加わってさらに膨張して、減容変形する前の状態にまで原形復帰する（二次復元）。具体的には、図８Ｃに示す状態から図８Ｄに示す状態まで変形する。
【０１０６】
そこで、図８Ｄに示すように、内容器体３に加圧検査気体を入れて内容器体本体３１がほぼ原形復帰した状態において、第２気体通路８１ｂを開放して、通路４を開放状態にした状態で、内容器体３の内口部３０で内容器体３の内部の圧力の変化を検知して、リークの有無を検出する。
【０１０７】
内容器体本体３１にピンホール等のリークの原因となる欠陥がある場合、内容器体本体３１の内部の空気はその欠陥部から、離間により形成された狭い空間である空間５にリークし、内容器体本体３１の内部の圧力が減少する。そのため、このように、内容器体本体３１の内部の圧力の変化を検知することによって、内容器体本体３１のリーク有無を検出することができる。
【０１０８】
次に、図８Ｅに示すように、第２気体通路８１ｂ、第３気体通路を開放し、リーク検査装置８とボトルを分離して通路４を開放状態にして、第２検査工程を終了する。
【０１０９】
以上、図示の実施形態について説明したが、本発明はこのような形態に限られるものではない。
【０１１０】
例えば、上記実施形態においては、変形工程を含む第１検査工程の後、内容器体本体３１を原形復帰させる復帰工程を含む第２検査工程を行っている。しかし、本発明の製造方法は、そのような構成に限定されるものではない。
【０１１１】
例えば、減容変形させた後、内容器体本体に内容物を収容するとともに、その内容物によって内容器体本体を原形復帰させる構成の場合には、合成樹脂製多重ボトルの製造方法に、独立して、又は、検査工程等とともに復帰工程を行う必要はない。
【０１１２】
逆に、合成樹脂製多重ボトルを、内口部に逆止弁を設け、外圧によって外郭ボトル及び内容器体を減容変形させた後に、内容器体のみにその減容変形を維持させる構成（例えば、液体調味料等を収容するもの）とした場合には、その合成樹脂製多重ボトルの製造工程に、積極的に復帰工程を含ませるとよい。
【０１１３】
上記実施形態と同様にして減容変形をさせた後に、復帰工程を実行すると、内容器体本体に変形の痕跡として、使用時（内容物を吐出させた際）に内容器体本体の変形を案内する変形案内部（折り癖）が形成されることになる。
【０１１４】
このとき、その変形案内部となる折り癖は、規制部材により長さ方向の変形が規制され径の収縮するような比較的規則的な変形によって形成されたものであるので、比較的規則的なものになる。ひいては、その変形案内部によって案内される内容器体本体の減容変形も比較的規則的なものになる。その結果、使用時にも内容器体本体の内部に内容物の移動を阻害するような部分が形成されることを抑制することができる。
【０１１５】
また、例えば、上記実施形態では、変形工程を含む第１検査工程において、通路４を介して、外郭ボトル本体２４と内容器体本体３１との間に加圧ガスを導入することによって、内容器体本体３１を減容変形させて、外郭ボトル本体２４から内容器体本体３１を離間するとともに、それらの間に空間５を形成している。しかし、本発明の変形工程はそのような構成に限定されるものではない。
【０１１６】
例えば、内容器体本体の内部を減圧することによって、内容器体本体を減容変形させてもよい。なお、この場合には、内容器体本体を原形復帰させる際に、内容器体本体の内部に加圧流体を導入するようにしてもよい。さらに、外郭ボトル本体と内容器体本体との間への加圧ガス導入と、内容器体本体の内部減圧とを併用してもよい。また、内容器体本体を減容変形させる前に、内容器体本体を外郭ボトル本体から剥離しておいてもよい。
【０１１７】
また、例えば、上記実施形態では、規制部材として、細長い円柱状のストッパーロッド８２を採用している。しかし、本発明の規制部材は、そのような構成に限定されるものではなく、内容器体の底部に内側から当接して、内容器体の減容変形を規制するものであればよい。例えば、円柱状（棒状）ではなく、板状であってもよいし、先端部の形状を、内容器体の底面の形状に対応させたものであってもよい。
【０１１８】
また、例えば、上記実施形態では、形成工程において多重ボトル１をブロー成形によって形成し、金型７０の内部から多重ボトル１を取り出した後に、変形工程に該当するリーク検査を行っている。これは、変形工程を金型から取り出した後で行うようにすると、変形工程を実施している最中に、その金型で次の製品を製造して、製造効率を向上させることができるためである。しかし、本発明の合成樹脂製多重ボトルの製造方法は、そのような構成に限定されるものではない。
【０１１９】
例えば、形成工程の後、金型から合成樹脂製多重ボトルを取り出さずに、その金型の内部で、ブロー成形装置のストレッチロッドを規制部材として利用して、変形工程を行ってもよい。また、例えば、ブロー成形以外の方法によって形成された合成樹脂製多重ボトルに対して本発明を適用してもよい。
【符号の説明】
【０１２０】
１…多重ボトル（合成樹脂製多重ボトル）、２…外郭ボトル、３…内容器体、４…通路、５…空間、６…プリフォーム、７…ブロー成形装置、８…リーク検査装置、２０…外口部、２０ａ…雄ネジ部、２０ｂ…サポートリング、２１…肩部、２２…胴部、２３…底部、２３ａ…凹部、２３ｂ…接地部、２４…外郭ボトル本体、３０…内口部、３０ａ…延出部、３０ｂ…鍔部、３０ｃ…縦溝、３０ｄ…横溝、３１…内容器体本体、６０…外プリフォーム、６０ａ…外プリフォーム口部、６０ｂ…外胴部、６０ｃ…サポートリング部、６１…内プリフォーム、６１ａ…内プリフォーム口部、６１ｂ…内胴部、７０…金型、７０ａ…成形部、７０ｂ…第１支持開口部、７１…ブローノズル、７１ａ…第１Ｏリング、７１ｂ…第１気体通路、７２…ストレッチロッド、８０…支持部、８０ａ…第２支持開口部、８１…リークノズル、８１ａ…第２Ｏリング、８１ｂ…第２気体通路、８１ｃ…第３気体通路、８２…ストッパーロッド（規制部材）。
【図１】
2020128226.tif 000003
【図２】
2020128226.tif 000004
【図３】
2020128226.tif 000005
【図４】
2020128226.tif 000006
【図５】
2020128226.tif 000007
【図６】
2020128226.tif 000008
【図７】
2020128226.tif 000009
【図８】
2020128226.tif 000010